(57)【特許請求の範囲】
【請求項１】
ブラシ基台から多数の毛を突出させ、多数の毛は少なくとも横断面形状が楕円形の毛を複数含み、該楕円形の毛は、楕円形の長径方向が歯ブラシの長軸方向と略平行となるように配置された第１の毛群と、楕円形の長径方向が歯ブラシの長軸方向と略垂直方向に配置された第２の毛群とからなり、上記楕円形の毛がブラシ基台の略中央域に配置され且つその両側に楕円形以外の横断面形状を有する毛が配置されていることを特徴とする歯ブラシ。
【請求項２】
上記楕円形以外の毛の横断面形状が円形であることを特徴とする請求項１記載の歯ブラシ。
【請求項３】
上記毛の配置部全体の形状を毛の突出方向から見て歯ブラシの長軸方向に沿った略瓢箪形に形成したことを特徴とする請求項１記載の歯ブラシ。
【請求項４】
上記楕円形の長径方向が歯ブラシの長軸方向と略垂直方向に配置された第２の毛群を、上記瓢箪形の２つの大径部の略中央域に各々配置していることを特徴とする請求項３記載の歯ブラシ。
【発明の詳細な説明】
【０００１】
【発明の属する技術分野】
この発明は、人の歯を磨くための歯ブラシに関するものである。
【０００２】
【従来の技術】
現在、多くのメーカーから多種多様の歯ブラシが生産、販売されているが、その毛の横断面形状は殆どのものが円形である。また少数見受けられるその他の横断面形状のものも、多角形など方向性のない同心形状とされている。
【０００３】
また従来から一般に行われている、ブラシ基台に植毛する製造技術では、毛束の配置について自由度が少なく、ほぼ画一的になっている。
【０００４】
【発明が解決しようとする課題】
ところで、歯垢を除去するには、歯ブラシの毛先が歯面の歯垢に確実に当たることと、毛先が歯ブラシの運動に追従してよく動くことが必要である、と一般に言われているが、従来のように横断面形状が方向性のない円形状をした毛を備えた歯ブラシにあっては、凹凸が多い口腔内において、毛先の届きやすい部位に偏りが生じ、このため軟らかい歯茎と硬い歯が隣合う口腔内の部位に毛先を確実に到達させることができなくなり、さらに、円形の毛では方向性がないために毛のたわみ具合に変化がなく、口腔内において毛先の当たりの強さを調節することが困難であり、歯垢を十分に除去できなくなったり、毛のへたりが生じ易くなるなどの問題があった。
【０００５】
本発明は、上記従来例に鑑みてなされたもので、毛のたわみ具合に変化をもたせることにより、口腔内の必要な部分への毛先の到達性を向上させると共に、特定方向の歯ブラシの動きだけでなく不特定な方向への歯ブラシの動きに対しても毛先の追随性を向上させることができ、歯垢除去効果を高めることができ、且つ毛のへたりを軽減することができる歯ブラシを提供することを課題とする。
【０００６】
【課題を解決するための手段】
上記課題を解決するために、本発明に係る歯ブラシは、ブラシ基台２から多数の毛３を突出させ、多数の毛３は少なくとも横断面形状が楕円形の毛３Ａを複数含み、該楕円形の毛３Ａは、楕円形の長径方向Ｄが歯ブラシ１の長軸方向Ｙと略平行となるように配置された第１の毛群１２と、楕円形の長径方向Ｄが歯ブラシ１の長軸方向Ｙと略垂直方向に配置された第２の毛群１３とからなり、上記楕円形の毛３Ａがブラシ基台２の略中央域２ａに配置され且つその両側に楕円形以外の横断面形状を有する毛が配置されていることを特徴としており、このように構成することで、バス磨きのように歯ブラシ１を歯ブラシ１の長軸方向Ｙに動かす場合は、第１の毛群１２を構成する楕円形の毛３Ａの長径方向Ｄが歯ブラシ１の運動方向と平行になるので、楕円形の毛３Ａがたわみ難くなり、毛先が歯ブラシ１の運動によく追従できるものであり、一方、ローリング磨きのように歯ブラシ１を回転させる場合にあっては、第１の毛群１２を構成する楕円形の毛３Ａの長径方向Ｄが歯ブラシ１の運動方向と平行になったり、第２の毛群１３を構成する楕円形の毛３Ａの長径方向Ｄが歯ブラシ１の運動方向と平行になったりするので、やはり毛先が歯ブラシ１の運動によく追従でき、歯垢除去効果と毛のへたりの軽減効果とが得られる。また、上記楕円形の毛３Ａがブラシ基台２の略中央域２ａに配置されているので、歯に当たり易い部分に剛性をもった楕円形の毛３Ａを口腔の最も重要な部分に当てることができるようになり、歯垢がより除去され易くなる。さらに、上記楕円形の毛３Ａ（毛群１２，１３）の両側に楕円形以外の横断面形状を有する毛を配置したので、略中央域２ａの楕円形の毛３Ａの毛先が歯ブラシ１の運動によく追従する一方で、その両側の楕円形以外の横断面形状を有する毛は追従性が少ないのでソフトに口腔内に当たるようになる。
【０００７】
また、上記楕円形以外の毛の横断面形状が円形であるのが好ましく、この場合、歯ブラシ１を歯４に当てる時の最前列となる周辺部に円形の毛３Ｂが位置するようになり、不特定方向の歯ブラシ運動にもより対応できる。
【０００８】
また、上記毛の配置部全体の形状を毛の突出方向から見て歯ブラシの長軸方向に沿った略瓢箪形に形成するのが好ましく、この場合、歯に対して歯ブラシ１の毛３を当てた場合、歯垢除去のポイントである歯と歯の間に第２の毛群１３の毛先がよく入り込むようになる。
【０００９】
また、上記楕円形の長径方向が歯ブラシの長軸方向と略垂直方向に配置された第２の毛群を、上記瓢箪形の２つの大径部の略中央域に各々配置するのが好ましく、この場合、第２の毛群１３の毛先が入り込む方向と第２の毛群１３の毛の楕円形の長径方向Ｄとが略平行となるので、大径部１４の毛が歯ブラシ運動によく追従できるようになる。
【００１０】
【発明の実施の形態】
以下、本発明の参考例を図１〜図６を参照して説明する。
【００１１】
歯ブラシ１は、図１に示すように、ブラシ基台２の上面に、多数の毛３が植設されて構成されている。尚多数の毛３は必ずしもブラシ基台２と別体である必要はなく、成形によりブラシ基台２に一体に形成されてもよいものである。図中の１０は把柄部、１１は頸部である。
【００１２】
上記多数の毛３は、参考例では、縦３列横１５列に配置された横断面形状が楕円形の毛３Ａと、楕円形の毛３Ａの縦列間にそれぞれ縦１列に配置された横断面形状が円形の毛３Ｂとで構成されている。ここで、縦３列横１５列で配置された楕円形の毛３Ａは、楕円形の長径方向Ｄが歯ブラシ１の長軸方向Ｙと略平行となるように配置された第１の毛群１２と、楕円形の長径方向Ｄが歯ブラシ１の長軸方向Ｙと略垂直方向に配置された第２の毛群１３とから成る。そして、第１の毛群１２を構成する楕円形の毛３Ａと、第２の毛群１３を構成する楕円形の毛３Ａは縦列方向に１つおきに交互に配置されており、これにより第１の毛群１２と第２の毛群１３とが混在して配置された状態となっている。つまり、縦列方向においては第１の毛群１２を構成する楕円形の毛３Ａと第２の毛群１３を構成する楕円形の毛３Ａとが１つずつ交互に規則正しく配置されており、また、横列方向においては第１の毛群１２を構成する楕円形の毛３Ａと円形の毛３Ｂとが１つずつ交互に規則正しく配置されている。なお、第１の毛群１２と第２の毛群１３の配置は図１に示す参考例に限定されるものではなく、任意に変更自在である。
【００１３】
また、第１の毛群１２を構成する楕円形の毛３Ａと、第２の毛群１３を構成する楕円形の毛３Ａは、長径Ａと短径Ｂとの比（Ｂ／Ａ）が等しく設定されているが、もちろん、楕円形の比（Ｂ／Ａ）が異なるものを用いることは可能である。また、楕円形の長径方向Ｄと短径方向Ｅの剛性に違いを出すためには例えば楕円形の長径が短径の１．１倍以上であることが望ましい。さらに、口腔内でのソフトな当たりを得るためには、横断面形状が円形の毛３Ｂは、楕円形の毛３Ａより剛性の小さい毛で構成されるのが望ましく、さらに円形の毛３Ｂの総数は全毛数の１０％以上とするのが望ましい。
【００１４】
しかして、ブラシ基台２上に植設された多数の毛３を、楕円形の長径方向Ｄが歯ブラシ１の長軸方向Ｙと略平行となるように配置された第１の毛群１２と、楕円形の長径方向Ｄが歯ブラシ１の長軸方向Ｙと略垂直方向に配置された第２の毛群１３とで構成し、これら第１の毛群１２と第２の毛群１３とを混在して配置したことによって、毛３のたわみ具合に変化を持たせることができる。つまり、バス磨きのように歯ブラシ１を歯ブラシ１の長軸方向Ｙに動かす場合にあっては、第１の毛群１２を構成する楕円形の毛３Ａの長径方向Ｄが、歯ブラシ１の運動方向と平行になるので、楕円形の毛３Ａがたわみ難くなり、毛先が歯ブラシ１の運動によく追従できるようになる。一方、ローリング磨きのように歯ブラシ１を回転させる場合にあっては、第１の毛群１２を構成する楕円形の毛３Ａの長径方向Ｄが歯ブラシ１の運動方向と平行になったり、第２の毛群１３を構成する楕円形の毛３Ａの長径方向Ｄが歯ブラシ１の運動方向と平行になったりするので、このローリング磨きの場合においても第１の毛群１２又は第２の毛群１３のいずれか一方の楕円形の毛３Ａがたわみ難くなることで、毛先が歯ブラシ１の運動によく追従できるようになる。つまり、一般的な歯ブラシ１の動かし方であるＹ方向とＸ方向の２方向のいずれにおいても、それぞれに対応して毛先がよく運動するので、歯垢除去効果と毛のへたりの軽減効果とが得られるようになる。しかも第１の毛群１２を構成する楕円形の毛３Ａをブラシ基台２の中央域に配置してあるので、歯に当たり易い部分に剛性をもった毛が位置することとなり、歯垢がより除去され易くなる。
【００１５】
また、図２のように歯４に対して毛３を斜めに当てた場合、歯垢除去のポイントである硬い歯４と軟らかい歯茎５の境目に楕円形の毛３Ａの毛先が当たり、歯垢に毛先を確実に到達させることができるようになる。またこのとき、楕円形の毛３Ａの短径方向Ｅが歯ブラシ１を歯４に当てる方向の力と同じになり、この短径方向Ｅには楕円形の毛３Ａはたわみ易いので、歯４によくフィットするようになる。
【００１６】
この結果、バス磨きやローリング磨きのいずれの場合でも、毛３のたわみ具合を変化させることができるので、毛先が歯面にしっかりフィットし且つ毛３Ａがたわみ難く、歯ブラシ１の動きによく追従して動くことができるようになり、歯垢除去の効果を向上させることができると共に、毛３のへたりを軽減させることができるようになる。
【００１７】
また本参考例では、楕円形の長径方向Ｄが歯ブラシ１の長軸方向Ｙと略平行となるように配置された第１の毛群１２を挟んでその両側に、円形の毛３Ｂをそれぞれ配置してあるので、歯ブラシ１をその長軸方向Ｙ又は短軸方向Ｘに動かす場合に、楕円形の毛３Ａの毛先が歯ブラシ１の運動によく追従する一方で、その両側の円形の毛３Ｂがソフトに口腔内に当たるようになる。また、歯ブラシ１を不特定の方向に動かす場合には、両側に方向性を選ばない、つまり、追随性が少ない毛３Ｃを配置したことによって、歯ブラシ１の方向を変えることで毛３Ａ，３Ｃの当たり具合を調整でき、従って、特定方向の歯ブラシ１の動きだけでなく不特定な方向への歯ブラシ１の動きにも十分に対応でき、歯垢除去効果をより高めることができるようになる。また、横断面形状が円形の毛３Ｂの総数を全毛数の１０％以上とすることで、円形の毛３Ｂが不特定方向の歯ブラシ運動により対応できるようになり、口腔内によりソフトに当たるようにすることができる。
【００１８】
なお、図１に示す参考例では、第１の毛群１２を構成する複数の楕円形の毛３Ａと第２の毛群１３を構成する複数の楕円形の毛３Ａとを縦方向に１つずつ交互に規則正しく配置した場合を説明したが、各楕円形の毛３Ａの配置はこれに限定されるものではなく、ランダムな配置であってもよく、要は第１の毛群１２と第２の毛群１３とが混在して配置されていればよいものである。また第１の毛群１２を構成する毛と第２の毛群１３を構成する毛の横断面形状を、長径Ａと短径Ｂとの比（Ｂ／Ａ）が等しい楕円形としたが、大きさ、形状の異なる複数種類の楕円形としてもよいものである。また、第１の毛群１２の両側に円形の毛３Ｂを配置した場合を説明したが、円形以外の他の横断面形状の毛（例えば断面角形の毛）を配置してもよい。勿論、円形の毛３Ｂは省略されてもよいものである。また、楕円形の毛３Ａを含む毛の毛先に丸みを持たせるようにしてもよい。これらのことは以下においても同様である。
【００１９】
図３は他の参考例を示しており、楕円形の長径方向Ｄが歯ブラシ１の長軸方向Ｙと略平行となるように配置された第１の毛群１２をブラシ基台２の略中央域２ａに配置し、この第１の毛群１２の両側に、楕円形の長径方向Ｄが歯ブラシ１の長軸方向Ｙと略垂直方向に配置された第２の毛群１３と、横断面形状が楕円形以外の毛とがそれぞれ配置してある。他の構成は図１の参考例と同様である。この参考例では、横断面形状が楕円形以外の毛として、円形の毛３Ｂが用いられ、この円形の毛３Ｂと楕円形の毛３Ａとが１つずつ交互に縦１列で配置してある。このように第１の毛群１２の両側に第１の毛群１２よりも追随性の少ない円形の毛３Ｂをそれぞれ配置したことによって、歯ブラシ１を歯４に当てる時の最前列となる周辺部に円形の毛３Ｂが位置するようになる。つまり、図４のように歯ブラシ１を長軸方向Ｙに動かす場合に、中央域ほど方向性のある楕円形の毛３Ａが配置され且つ両側には方向性のない円形の毛３Ｂが配置されることによって、毛のあたり具合を部分により調整でき、特定方向の歯ブラシの動きだけでなく不特定な方向への歯ブラシの動きにも十分に対応できるようになり、歯垢除去効果を一層高めることができる。
【００２０】
図５は更に他の参考例を示している。この参考例では、複数の楕円形の毛３Ａを、歯ブラシ１の短軸方向Ｘにおいて中央に位置する毛程、毛先が突出するように山形状に隆起させてある。他の構成は図３の参考例と同様である。このようにブラシ基台２の略中央域２ａに配置される楕円形の毛３Ａの毛先形状が歯ブラシ１の短軸方向Ｘから見て山形状に隆起させてあるので、図６に示すように、歯４に対して毛３を斜めに当てた場合、歯４と歯茎５の境目に、上記山形状に隆起した略中央域２ａの楕円形の毛３Ａの毛先が一層当たり易くなる。従って、略中央域２ａの楕円形の毛３Ａの毛先が歯４の広い範囲に効率良く当たり、よくフィットし且つよく運動することによって、歯垢除去効果の向上と毛３のへたりを軽減する効果とが得られるようになる。なお、略中央域２ａの楕円形の毛３Ａの毛先の山形の傾斜角度θは、歯面に対して歯ブラシ１の毛３を当てた場合の角度を考慮すれば、２５°から４５°が望ましい。
【００２１】
図７は本発明の実施形態を示している。この実施形態では、ブラシ基台２の略中央域２ａに楕円形の長径方向Ｄが歯ブラシ１の長軸方向Ｙと略平行となるように配置された第１の毛群１２が配置されていると共に、その両側域２ｂに少なくとも横断面形状が円形の毛３Ｂが配置されている。本実施形態では、両側域２ｂに横断面形状が円形の毛３Ｂと楕円形の毛３Ａとが配置されている。この楕円形の毛３Ａと、略中央域２ａに配置される楕円形の毛３Ａとはその楕円形の大きさを異ならせてある。つまり、図７（ｂ）に示すように、略中央域２ａの楕円形の毛３Ａは、長径Ａと短径Ｂとの比（Ｂ／Ａ）が十分に大きい楕円形とされており、一方、周辺部の楕円形の毛３Ａは、長径Ａ′と短径Ｂ′との比（Ｂ′／Ａ′）が小さい楕円形とされている。さらに、周辺部の楕円形の毛３Ａは、楕円形の長径方向Ｄを歯ブラシ１の長軸方向Ｙと平行に向けて配置された楕円形の毛３Ａと、楕円形の長径方向Ｄを歯ブラシ１の長軸方向Ｙと略垂直方向に向けて配置された楕円形の毛３Ａとで構成されている。他の構成は図３の参考例と同様である。この実施形態では、毛３の配置部全体の周辺部（歯ブラシ１を歯に当てる時の最前列となる部分）に円形の毛３Ｂ、及び略中央域２ａの楕円形の毛３Ａよりもやや円形に近い楕円形の毛３Ａを配置してあるので、不特定方向の歯ブラシ運動にも十分に対応でき、ソフトに口腔内に当てることができるようになる。
【００２２】
なお、図８に示すように、毛３の配置部全体の周辺に円形の毛３Ｂのみを配置するようにしてもよい。この実施形態では、第１の毛群１２と第２の毛群１３とを囲むようにブラシ基台２の周辺部に横断面形状が円形の毛３Ｂを配置してあるので、不特定な方向に歯ブラシ１を動かす場合でも、歯ブラシ１を歯４に当てる時の最前列となる周辺部に円形の毛３Ｂのみが位置することによって、不特定方向の歯ブラシ運動により対応できるようになる。
【００２３】
図９は本発明の他の実施形態を示している。この実施形態では、毛３の配置部全体の形状を毛３の突出方向から見て歯ブラシ１の長軸方向Ｙに沿った略瓢箪形に形成すると共に、楕円形の長径方向Ｄが歯ブラシ１の長軸方向Ｙと略垂直方向に配置された第２の毛群１３を、少なくとも上記瓢箪形の２つの大径部１４の略中央域に各々配置してある。この実施形態では、楕円形の長径方向Ｄが歯ブラシ１の長軸方向Ｙと略平行となるように配置された第１の毛群１２を瓢箪形のくびれ部１５に配置してあり、第１の毛群１２の周辺部及び第２の毛群１３の周辺部に円形の毛３Ｂがそれぞれ配置してある。
【００２４】
しかして、毛３の配置部全体の形状を毛３の突出方向から見て瓢箪形に形成したことで、図９のように歯に対して歯ブラシ１の毛３を斜めに当てた場合、楕円形の長径方向Ｄが歯ブラシ１の長軸方向Ｙと略垂直方向に配置されている第２の毛群１３を、瓢箪形の２つの大径部１４の略中央域に各々配置してあるので、歯垢除去のポイントである歯と歯の間に第２の毛群１３の毛先がよく入り込む。従って、大径部１４の毛は例えばローリング磨きの場合、毛先が歯ブラシ１の回転運動によく追従することができる。つまり毛先が入り込む方向と第２の毛群１３の毛の楕円形の長径方向Ｄとが略平行となるので、大径部１４の毛の毛先が歯ブラシ運動によく追従できるようになる。しかも楕円形の毛３Ａの短径幅で毛先が侵入することができるので、毛先が歯間部に一層入り込み易くなる。従って、毛先が歯間部により入り込んでよく運動するので歯垢除去効果をより高めることができる。
【００２５】
図１０は、少なくとも往復直線運動機能と往復回転運動機能とを有する電動歯ブラシ６を示している。このブラシ基台２上に植設される毛としては、図７〜図９のいずれかの実施形態に示された楕円形の毛３Ａを含む毛３が用いられる。図１０では図９の実施形態の毛３を用いた場合を示しているが、必ずしもこれに限定されるものではない。本実施形態では、往復直線運動及び往復回転運動を行う機構を内蔵した本体７の先端より駆動軸８が突設され、この駆動軸８にブラシ基台２と一体の替えブラシ９が装着される。そして、本体７に内蔵したモータを一方向に回転させて偏心軸及びカムを介して駆動軸８に往復直線運動（バス磨き）と往復回転運動（バス磨き）とを行わせるものである。往復直線運動時には、楕円形の毛３Ａの長径方向Ｄが電動歯ブラシ６の運動方向と平行になるので、楕円形の毛３Ａがたわみ難くなり、毛先が電動歯ブラシ６の運動によく追従できるようになる。また、往復回転運動時には、いずれかの楕円形の毛３Ａの長径方向Ｄが電動歯ブラシ６の運動方向と平行になるので、やすり楕円形の毛３Ａがたわみ難くなり、毛先が電動歯ブラシ６の運動によく追従できるようになる。さらに、振動のために手用歯ブラシより歯面にフイットしにくいと言われている電動歯ブラシ１６であっても、楕円形の毛Ａを含む毛３を用いることで、歯面との良好なフイット感が得られるようになる。ここで図８の実施形態の毛３の配置構造では、例えばバス磨きとローリング磨きとを自動的に繰り返す、いわゆるオートバスローリングモードで使用するのが望ましく、また図３、図５、図７の毛３の配置構造では、バス磨きモードで使用するのが望ましく、さらに図９の毛３の配置構造ではローリング磨きモードで使用するのが望ましい。もちろん、この使用方法に限定されるものではなく、ユーザーの好みに応じて任意に選択使用できるのはいうまでもない。
【００２６】
図１１は、ブラシ基台２から突出させた毛３がブラシ基台２又は把柄部１０付きブラシ基台２と一体に成形されている場合を示している。ブラシ基台２上に植設される毛としては、図７の実施形態に示された楕円形の毛３Ａを含む毛３が用いられるものであり、この実施形態では、毛３とブラシ基台２と把柄部１０とが頸部１１を介して一体成形されている。従って、毛３の横断面形状やその配置に変化を持たせるにあたって、従来の植毛による方法よりも容易にできるようになり、また毛先を丸くする場合でも、従来の研摩法よりも毛先の加工を滑らかに且つ確実に行うことができる。また、例えば山形状のブラシの場合、従来の技術では毛先の丸め加工が不完全になりがちであったが、一体成形によって毛先がなめらかでソフトとなり、口腔内の当たりを一層良くして使用の安全性の高い歯ブラシを容易に作製できるという利点がある。
【００２７】
【発明の効果】
以上説明したように、本発明のうち請求項１記載の発明は、ブラシ基台から多数の毛を突出させ、多数の毛は少なくとも横断面形状が楕円形の毛を複数含み、該楕円形の毛は、楕円形の長径方向が歯ブラシの長軸方向と略平行となるように配置された第１の毛群と、楕円形の長径方向が歯ブラシの長軸方向と略垂直方向に配置された第２の毛群とからなり、上記楕円形の毛がブラシ基台の略中央域に配置され且つその両側に楕円形以外の横断面形状を有する毛が配置されているから、バス磨きのように歯ブラシを歯ブラシの長軸方向に動かす場合は、第１の毛群を構成する楕円形の毛の長径方向が歯ブラシの運動方向と平行になるので、楕円形の毛がたわみ難くなり、毛先が歯ブラシの運動によく追従できるようになり、一方、ローリング磨きのように歯ブラシを回転させる場合にあっては、第１の毛群を構成する楕円形の毛の長径方向が歯ブラシの運動方向と平行になったり、第２の毛群を構成する楕円形の毛の長径方向が歯ブラシの運動方向と平行になったりするので、やはり毛先が歯ブラシの運動によく追従できる。この結果、特定方向の歯ブラシの動きだけでなく不特定な方向への歯ブラシの動きでも、毛のたわみ具合を変化させることができるので、毛先が歯面にしっかりフィットし且つ歯ブラシの動きによく追従して動くことができ、歯垢除去の効果を向上させることができると共に、毛のへたりを軽減させることができるものである。また、上記楕円形の毛がブラシ基台の略中央域に配置されているので、歯に当たり易い部分に剛性をもった毛が口腔の最も重要な部分に当てることができるようになり、歯垢がより除去され易くなる。さらに、楕円形の毛（第１の毛群、第２の毛群）の両側に楕円形以外の横断面形状を有する毛を配置したから、略中央域の楕円形の毛の毛先が歯ブラシの運動によく追従する一方で、その両側の楕円形以外の横断面形状を有する毛は追従性が少ないのでソフトに口腔内に当たるようになる。つまり、楕円形の毛の両側に方向性を選ばない追随性が少ない毛を配置することによって、歯ブラシ方向を変えることで毛の当たり具合を調整でき、不特定の方向の歯ブラシの運動にもより対応できるようになり、歯垢除去効果をより高めることができる。
【００２８】
また請求項２記載の発明は、請求項１記載の効果に加えて、楕円形以外の毛の横断面形状が円形であるから、歯ブラシを歯に当てる時の最前列となる周辺部に円形の毛が位置するようになり、不特定方向の歯ブラシ運動に十分に対応できるようになる。
【００２９】
また請求項３記載の発明は、請求項１記載の効果に加えて、毛の配置部全体の形状を毛の突出方向から見て歯ブラシの長軸方向に沿った略瓢箪形に形成したから、歯に対して歯ブラシの毛を当てた場合、歯垢除去のポイントである歯と歯の間に第２の毛群の毛先がよく入り込む。
【００３０】
また請求項４記載の発明は、請求項３記載の効果に加えて、上記楕円形の長径方向が歯ブラシの長軸方向と略垂直方向に配置された第２の毛群を、上記瓢箪形の２つの大径部の略中央域に各々配置しているから、第２の毛群の毛先の入り込む方向と第２の毛群の毛の楕円形の長径方向とが略平行となるので、大径部の毛が歯ブラシ運動によく追従できるようになり、歯垢除去効果がより高められる。
【図面の簡単な説明】
【図１】  （ａ）は本発明の参考例の正面図、（ｂ）は毛の横断面形状の説明図である。
【図２】  同上の歯ブラシの毛を歯面に斜め方向に当てた状態の説明図である。
【図３】  他の参考例を示す正面図である。
【図４】  図３の歯ブラシの運動方向の説明図である。
【図５】  （ａ）（ｂ）は更に他の参考例を示す正面図及び側面図である。
【図６】  図５の歯ブラシの毛を歯と歯茎の境目に当てた状態の説明図である。
【図７】  （ａ）は本発明の実施形態の正面図、（ｂ）は２種類の楕円形の毛の横断面形状の説明図である。
【図８】  本発明の他の実施形態の正面図である。
【図９】  本発明の更に他の実施形態の説明図である。
【図１０】  本発明の更に他の実施形態の電動歯ブラシの説明図である。
【図１１】  本発明の更に他の実施形態の側面図である。
【符号の説明】
１  歯ブラシ
２  ブラシ基台
２ａ  略中央域
３  毛
３Ａ  楕円形の毛
３Ｂ  円形の毛
６  電動歯ブラシ
１２  第１の毛群
１３  第２の毛群
１４  大径部
Ｄ  楕円形の長径方向
Ｅ  楕円形の短径方向
Ｙ  歯ブラシの長軸方向
Ｘ  歯ブラシの短軸方向
【図１】
0003794108.tif 000002
【図２】
0003794108.tif 000003
【図３】
0003794108.tif 000004
【図４】
0003794108.tif 000005
【図５】
0003794108.tif 000006
【図６】
0003794108.tif 000007
【図７】
0003794108.tif 000008
【図８】
0003794108.tif 000009
【図９】
0003794108.tif 000010
【図１０】
0003794108.tif 000011
【図１１】
0003794108.tif 000012